(57)【要約】      （修正有）【課題】固定に便利な読書灯を提供する。【解決手段】読書灯は、固定台１０と、固定台の上方に位置したスライドスタンド２７と、ウォームホイールチャンバ１１とを含む。スライドスタンドの中には、支持ロッド２８がスライドできるように設けられ、支持ロッドの底部末端には、ウォームホイール１３が設置され、且つ、ウォームホイールチャンバの中に伸び、支持ロッドの底部が固定台の頂壁の中に回転できるように設けられている。固定台の左側端壁の中には、左方に開口しデスクの縁に引っ掛ける挟みチャンバ１６が設けられる。挟みチャンバの中には、固定装置２００が設けられる。固定装置は、スライドできるように設けられたスライド板１９を含み、モータが回転し、歯車を介してネジ山スリーブを回転させ、ネジ山スリーブがネジロッドを下に移動させスライド板を下へ移動連動させることで、読書灯をデスクの縁に固定する。【選択図】図１
2020184503.tif 000002
【特許請求の範囲】
【請求項１】
正面視で、固定台と、前記固定台の上方に位置したスライドスタンドと、前記固定台に位置したウォームホイールチャンバとを含み、前記スライドスタンドの底壁の中には下方に開口した空きチャンバが設けられ、前記空きチャンバの左右端壁には第一ラックが固定的に設けられ、前記スライドスタンドの中には支持ロッドがスライドできるように設けられ、前記支持ロッドの底部が前記固定台の頂壁の中に回転できるように設けられ、前記支持ロッドの底部末端は前記ウォームホイールチャンバの中に伸びており、且つ前記支持ロッドの底部末端にはウォームホイールが設置され、前記支持ロッドの左右端壁の中には左右に貫通したスライド溝が設けられ、前記スライド溝の中にはカウンターウェイトブロックがスライドできるように設けられ、前記スライド溝の頂壁の中には第一スライド孔が設けられ、前記第一スライド孔の中には第二ラックがスライドできるように設けられ、前記第一スライド孔と前記空きチャンバとの間には歯車チャンバが連通するように設けられ、前記歯車チャンバの中には前記第一ラックと第二ラックとの両者と噛合した第一歯車が回転できるように設けられ、前記支持ロッドの頂壁には位置制限ブロックが固定的に設けられ、前記位置制限ブロックと前記スライドスタンドとの間には第一バネが弾性を持つように設けられ、前記スライドスタンドの左側端壁にはライトカバーがヒンジによって連結され、前記ライトカバーと前記位置制限ブロックとの間にはヒンジロッドがヒンジによって連結され、前記ライトカバーの中には照明チャンバが設けられ、前記照明チャンバの右側端壁の中には取り外すことができる照明ライトが設けられ、前記ウォームホイールチャンバの端壁の中には切り替えチャンバが設けられ、前記ウォームホイールチャンバと前記切り替えチャンバとの間には前記ウォームホイールと噛合したウォームが回転できるように設けられ、前記ウォームの末端が前記切り替えチャンバの中に伸びており、且つ前記ウォームの末端には第一傘歯車が固定的に設けられ、前記切り替えチャンバの底壁の中にはスライドチャンバが設けられ、前記スライドチャンバの中にはスライドブロックがスライドできるように設けられ、前記スライドブロックの頂壁の中には第一モーターが固定的に設けられ、前記第一モーターの出力軸末端には第二傘歯車が固定的に設けられ、前記固定台の左側端壁の中には左方に開口した挟みチャンバが設けられ、前記挟みチャンバの中には読書灯を固定できる固定装置が設けられ、前記スライドチャンバの前側端壁の中にはリールチャンバが設けられ、前記リールチャンバと前記リールチャンバの右側端壁の中にはケーブルを収納できる収納装置が設けられていることを特徴とする固定に便利な読書灯。
【請求項２】
前記固定装置は前記挟みチャンバの中にスライドできるように設けられたスライド板を含み、前記固定装置は前記スライド板の下方に位置した固定板も含み、前記挟みチャンバの頂壁の中には下方に開口した第二スライド孔が左右に対称的に設けられ、前記第二スライド孔の中には前記スライド板と固定的に連結されたガイドスライドロッドがスライドできるように設けられ、前記スライド板と前記固定板との間には前記ガイドスライドロッドに周設された第二バネが弾性を持つように設けられ、前記挟みチャンバと前記ウォームホイールチャンバとの間にはネジ山スリーブが回転できるように設けられ、前記ウォームホイールチャンバの中の前記ネジ山スリーブの末端には前記第二傘歯車と噛合した第三傘歯車が固定的に設けられ、前記ネジ山スリーブの中には下方に開口した第一ネジ山孔が設けられ、前記第一ネジ山孔の中には前記スライド板と固定的に連結された第一ネジロッドがねじ山によって連結され、前記第一ネジロッドが下へ移動し前記スライド板と前記固定板とを下へ移動連動させ、これにより前記設備をデスクの縁に固定することを特徴とする請求項１に記載の固定に便利な読書灯。
【請求項３】
前記収納装置は前記スライドブロックの中に設けられた第二ネジ山孔を含み、前記第二ネジ山孔が前後に伸びており、前記第二ネジ山孔の中には第二ネジロッドがねじ山によって連結され、前記第二ネジロッドが前後に伸びており、前記ネジロッドの前側末端と前記リールチャンバの前側端壁の中に固定的に設けられた第二モーターとが伝動できるように連結され、前記リールチャンバの中の前記第二ネジロッドの外表面にはリールが固定的に設けられ、前記リールチャンバの右側端壁の中には収納チャンバが設けられ、前記収納チャンバの中にはブラグが設けられ、前記ブラグの左側端壁には前記リールの外表面に周設されたケーブルが固定的に設けられ、前記リールが回転することによって前記ケーブルを収納でき、または取り出せることを特徴とする請求項１に記載の固定に便利な読書灯。
【発明の詳細な説明】
【技術分野】
【０００１】
本発明はライト分野を取り上げて、具体的には固定に便利な読書灯である。
【背景技術】
【０００２】
人々は読書灯を使って本を読むとき、読書灯が固定されにくいため、良い使用体験を得ることができない場合が多い。また伝統的な読書灯は照明範囲が自動的に調節できない一方、ケーブルも乱れやすく、収納が不便である。したがって、固定に便利な読書灯を設計し以上の問題を解決する必要がある。
【先行技術文献】
【特許文献】
【０００３】
【特許文献１】中国特許出願公開第104566046号明細書
【発明の概要】
【発明が解決しようとする課題】
【０００４】
本発明の目的は固定に便利な読書灯を提供し、それは上記の現在の技術中の問題を解決できる。
【課題を解決するための手段】
【０００５】
本発明の固定に便利な読書灯は、固定台と、前記固定台の上方に位置したスライドスタンドと、前記固定台に位置したウォームホイールチャンバとを含み、前記スライドスタンドの底壁の中には下方に開口した空きチャンバが設けられ、前記空きチャンバの左右端壁には第一ラックが固定的に設けられ、前記スライドスタンドの中には支持ロッドがスライドできるように設けられ、前記支持ロッドの底部が前記固定台の頂壁の中に回転できるように設けられ、前記支持ロッドの底部末端は前記ウォームホイールチャンバの中に伸びており、且つ前記支持ロッドの底部末端にはウォームホイールが設置され、前記支持ロッドの左右端壁の中には左右に貫通したスライド溝が設けられ、前記スライド溝の中にはカウンターウェイトブロックがスライドできるように設けられ、前記スライド溝の頂壁の中には第一スライド孔が設けられ、前記第一スライド孔の中には第二ラックがスライドできるように設けられ、前記第一スライド孔と前記空きチャンバとの間には歯車チャンバが連通するように設けられ、前記歯車チャンバの中には前記第一ラックと第二ラックとの両者と噛合した第一歯車が回転できるように設けられ、前記支持ロッドの頂壁には位置制限ブロックが固定的に設けられ、前記位置制限ブロックと前記スライドスタンドとの間には第一バネが弾性を持つように設けられ、前記スライドスタンドの左側端壁にはライトカバーがヒンジによって連結され、前記ライトカバーと前記位置制限ブロックとの間にはヒンジロッドがヒンジによって連結され、前記ライトカバーの中には照明チャンバが設けられ、前記照明チャンバの右側端壁の中には取り外すことができる照明ライトが設けられ、前記ウォームホイールチャンバの端壁の中には切り替えチャンバが設けられ、前記ウォームホイールチャンバと前記切り替えチャンバとの間には前記ウォームホイールと噛合したウォームが回転できるように設けられ、前記ウォームの末端が前記切り替えチャンバの中に伸びており、且つ前記ウォームの末端には第一傘歯車が固定的に設けられ、前記切り替えチャンバの底壁の中にはスライドチャンバが設けられ、前記スライドチャンバの中にはスライドブロックがスライドできるように設けられ、前記スライドブロックの頂壁の中には第一モーターが固定的に設けられ、前記第一モーターの出力軸末端には第二傘歯車が固定的に設けられ、前記固定台の左側端壁の中には左方に開口した挟みチャンバが設けられ、前記挟みチャンバの中には読書灯を固定できる固定装置が設けられ、前記スライドチャンバの前側端壁の中にはリールチャンバが設けられ、前記リールチャンバと前記リールチャンバの右側端壁の中にはケーブルを収納できる収納装置が設けられている。
【０００６】
優選の技術プランとして、前記固定装置は前記挟みチャンバの中にスライドできるように設けられたスライド板を含み、前記固定装置は前記スライド板の下方に位置した固定板も含み、前記挟みチャンバの頂壁の中には下方に開口した第二スライド孔が左右に対称的に設けられ、前記第二スライド孔の中には前記スライド板と固定的に連結されたガイドスライドロッドがスライドできるように設けられ、前記スライド板と前記固定板との間には前記ガイドスライドロッドに周設された第二バネが弾性を持つように設けられ、前記挟みチャンバと前記ウォームホイールチャンバとの間にはネジ山スリーブが回転できるように設けられ、前記ウォームホイールチャンバの中の前記ネジ山スリーブの末端には前記第二傘歯車と噛合した第三傘歯車が固定的に設けられ、前記ネジ山スリーブの中には下方に開口した第一ネジ山孔が設けられ、前記第一ネジ山孔の中には前記スライド板と固定的に連結された第一ネジロッドがねじ山によって連結され、前記第一ネジロッドが下へ移動し前記スライド板と前記固定板とを下へ移動連動させ、これにより前記設備をデスクの縁に固定する。
【０００７】
優選の技術プランとして、前記収納装置は前記スライドブロックの中に設けられた第二ネジ山孔を含み、前記第二ネジ山孔が前後に伸びており、前記第二ネジ山孔の中には第二ネジロッドがねじ山によって連結され、前記第二ネジロッドが前後に伸びており、前記ネジロッドの前側末端と前記リールチャンバの前側端壁の中に固定的に設けられた第二モーターとが伝動できるように連結され、前記リールチャンバの中の前記第二ネジロッドの外表面にはリールが固定的に設けられ、前記リールチャンバの右側端壁の中には収納チャンバが設けられ、前記収納チャンバの中にはブラグが設けられ、前記ブラグの左側端壁には前記リールの外表面に周設されたケーブルが固定的に設けられ、前記リールが回転することによって前記ケーブルを収納でき、または取り出せる。
【発明の効果】
【０００８】
本発明設備は自動的にデスクの縁に固定できるだけではなく、ヘッドボードにも便利に固定でき、デスクの縁にもヘッドボードにも適し、照明範囲を便利に調節できる一方、ケーブルも収納でき、使用が非常に便利である。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の固定に便利な読書灯の全体構成略図
【図２】図２は図１のＡ―Ａの構成略図
【図３】図３は図１のＢ―Ｂの構成略図
【図４】図４は図１のＣ―Ｃの構成略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜４に示したように、本発明の固定に便利な読書灯は、固定台１０と、前記固定台１０の上方に位置したスライドスタンド２７と、前記固定台１０に位置したウォームホイールチャンバ１１とを含み、前記スライドスタンド２７の底壁の中には下方に開口した空きチャンバ２６が設けられ、前記空きチャンバ２６の左右端壁には第一ラック２４が固定的に設けられ、前記スライドスタンド２７の中には支持ロッド２８がスライドできるように設けられ、前記支持ロッド２８の底部が前記固定台１０の頂壁の中に回転できるように設けられ、前記支持ロッド２８の底部末端は前記ウォームホイールチャンバ１１の中に伸びており、且つ前記支持ロッド２８の底部末端にはウォームホイール１３が設置され、前記支持ロッド２８の左右端壁の中には左右に貫通したスライド溝３５が設けられ、前記スライド溝３５の中にはカウンターウェイトブロック３６がスライドできるように設けられ、前記スライド溝３５の頂壁の中には第一スライド孔２５が設けられ、前記第一スライド孔２５の中には第二ラック２１がスライドできるように設けられ、前記第一スライド孔２５と前記空きチャンバ２６との間には歯車チャンバ２３が連通するように設けられ、前記歯車チャンバ２３の中には前記第一ラック２４と第二ラック２１との両者と噛合した第一歯車２２が回転できるように設けられ、前記支持ロッド２８の頂壁には位置制限ブロック３０が固定的に設けられ、前記位置制限ブロック３０と前記スライドスタンド２７との間には第一バネ２９が弾性を持つように設けられ、前記スライドスタンド２７の左側端壁にはライトカバー３４がヒンジによって連結され、前記ライトカバー３４と前記位置制限ブロック３０との間にはヒンジロッド３１がヒンジによって連結され、前記ライトカバー３４の中には照明チャンバ３３が設けられ、前記照明チャンバ３３の右側端壁の中には取り外すことができる照明ライト３２が設けられ、前記ウォームホイールチャンバ１１の端壁の中には切り替えチャンバ４５が設けられ、前記ウォームホイールチャンバ１１と前記切り替えチャンバ４５との間には前記ウォームホイール１３と噛合したウォーム１２が回転できるように設けられ、前記ウォーム１２の末端が前記切り替えチャンバ４５の中に伸びており、且つ前記ウォーム１２の末端には第一傘歯車４６が固定的に設けられ、前記切り替えチャンバ４５の底壁の中にはスライドチャンバ４４が設けられ、前記スライドチャンバ４４の中にはスライドブロック４２がスライドできるように設けられ、前記スライドブロック４２の頂壁の中には第一モーター４３が固定的に設けられ、前記第一モーター４３の出力軸末端には第二傘歯車３７が固定的に設けられ、前記固定台１０の左側端壁の中には左方に開口した挟みチャンバ１６が設けられ、前記挟みチャンバ１６の中には読書灯を固定できる固定装置２００が設けられ、前記スライドチャンバ４４の前側端壁の中にはリールチャンバ５３が設けられ、前記リールチャンバ５３と前記リールチャンバ５３の右側端壁の中にはケーブルを収納できる収納装置３００が設けられている。
【００１３】
有益に、前記固定装置２００は前記挟みチャンバ１６の中にスライドできるように設けられたスライド板１９を含み、前記固定装置２００は前記スライド板１９の下方に位置した固定板１５も含み、前記挟みチャンバ１６の頂壁の中には下方に開口した第二スライド孔２０が左右に対称的に設けられ、前記第二スライド孔２０の中には前記スライド板１９と固定的に連結されたガイドスライドロッド１７がスライドできるように設けられ、前記スライド板１９と前記固定板１５との間には前記ガイドスライドロッド１７に周設された第二バネ１４が弾性を持つように設けられ、前記挟みチャンバ１６と前記ウォームホイールチャンバ１１との間にはネジ山スリーブ４１が回転できるように設けられ、前記ウォームホイールチャンバ１１の中の前記ネジ山スリーブ４１の末端には前記第二傘歯車３７と噛合した第三傘歯車３８が固定的に設けられ、前記ネジ山スリーブ４１の中には下方に開口した第一ネジ山孔４０が設けられ、前記第一ネジ山孔４０の中には前記スライド板１９と固定的に連結された第一ネジロッド３９がねじ山によって連結され、前記第一ネジロッド３９が下へ移動し前記スライド板１９と前記固定板１５とを下へ移動連動させ、これにより前記設備をデスクの縁に固定する。
【００１４】
有益に、前記収納装置３００は前記スライドブロック４２の中に設けられた第二ネジ山孔４７を含み、前記第二ネジ山孔４７が前後に伸びており、前記第二ネジ山孔４７の中には第二ネジロッド４８がねじ山によって連結され、前記第二ネジロッド４８が前後に伸びており、前記ネジロッド４８の前側末端と前記リールチャンバ５３の前側端壁の中に固定的に設けられた第二モーター５２とが伝動できるように連結され、前記リールチャンバ５３の中の前記第二ネジロッド４８の外表面にはリール５４が固定的に設けられ、前記リールチャンバ５３の右側端壁の中には収納チャンバ５１が設けられ、前記収納チャンバ５１の中にはブラグ５９が設けられ、前記ブラグ５０の左側端壁には前記リール５４の外表面に周設されたケーブル４９が固定的に設けられ、前記リール５４が回転することによって前記ケーブル４９を収納でき、または取り出せる。
【００１５】
以下、図１〜４と上記に説明した本出願の固定に便利な読書灯の具体的な構成とを参照し、固定に便利な読書灯の作動過程を詳しく説明する：
【００１６】
設備をデスクの上で使用するとき、挟みチャンバ１６をデスクの縁に引っ掛け、このとき第一モーター４３を始動し、これにより第二傘歯車３７を回転連動させ、これにより第三傘歯車３８とネジ山スリーブ４１とを回転連動させ、これにより第一ネジロッド３９を下へ移動連動させ、第一ネジロッド３９が下へ移動しスライド板１９と固定板１５とを下へ移動連動させ、これにより設備がデスクの縁に固定でき、このとき第二モーター５２を始動し、第二モーター５２が回転し第二ネジロッド４８を回転連動させ、これによりリール５４を回転連動させ、これによりケーブルを取り出せ、このとき右へブラグ５０を引き、ブラグ５０を給電線路と通電できるように連結し、このとき設備が通電され、同時に第二ネジロッド４８が回転しスライドブロック４２を移動連動させ、これにより第二傘歯車３７と第一傘歯車４６とを噛合させ、このとき第一モーター４３を起動し、第一モーター４３が回転し第二傘歯車３７を回転連動させ、これにより第一傘歯車４６と、ウォーム１２と、ウォームホイール１３と、支持板２８とを回転連動させ、これにより読書灯の照明位置を調節でき、ベッドで設備を使用するとき、挟みチャンバ１６をヘッドボードの上に引っ掛け、このとき支持ロッド２８が水平方向に位置しているため、カウンターウェイトブロック３６が水平方向で重力に影響されなく、このとき第一バネ２９の作用によりスライドスタンド２７が移動し、これによりライトカバー３４の右側を下へ移動連動させ、同時にヒンジロッド３１の作用により、ライトカバー３４が九十度回転し、このときライトカバー３４がベッドと平行し、使用者の読書に照明を提供し、繰り返しに固定装置２００と収納装置３００を作動させることによって便利に設備をヘッドボードに固定でき、同時に第一モーター４３を始動し、第一モーター４３が回転し第二傘歯車３７を回転連動させ、これにより第一傘歯車４６と、ウォーム１２と、ウォームホイール１３と、支持板２８とを回転連動させ、これにより読書灯の照明位置を調節できる。
【００１７】
以上の詳しい説明により：本発明設備は自動的にデスクの縁に固定できるだけではなく、ヘッドボードにも便利に固定でき、デスクの縁にもヘッドボードにも適し、照明範囲を便利に調節できる一方、ケーブルも収納でき、使用が非常に便利である。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020184503.tif 000003
【図２】
2020184503.tif 000004
【図３】
2020184503.tif 000005
【図４】
2020184503.tif 000006
【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
正面視で、固定台と、前記固定台の上方に位置したスライドスタンドと、前記固定台に位置したウォームホイールチャンバとを含み、前記スライドスタンドの底壁の中には下方に開口した空きチャンバが設けられ、前記空きチャンバの左右端壁には第一ラックが固定的に設けられ、前記スライドスタンドの中には支持ロッドがスライドできるように設けられ、前記支持ロッドの底部が前記固定台の頂壁の中に回転できるように設けられ、前記支持ロッドの底部末端は前記ウォームホイールチャンバの中に伸びており、且つ前記支持ロッドの底部末端にはウォームホイールが設置され、前記支持ロッドの左右端壁の中には左右に貫通したスライド溝が設けられ、前記スライド溝の中にはカウンターウェイトブロックがスライドできるように設けられ、前記スライド溝の頂壁の中には第一スライド孔が設けられ、前記第一スライド孔の中には第二ラックがスライドできるように設けられ、前記第一スライド孔と前記空きチャンバとの間には歯車チャンバが連通するように設けられ、前記歯車チャンバの中には前記第一ラックと第二ラックとの両者と噛合した第一歯車が回転できるように設けられ、前記支持ロッドの頂壁には位置制限ブロックが固定的に設けられ、前記位置制限ブロックと前記スライドスタンドとの間には第一バネが弾性を持つように設けられ、前記スライドスタンドの左側端壁にはライトカバーがヒンジによって連結され、前記ライトカバーと前記位置制限ブロックとの間にはヒンジロッドがヒンジによって連結され、前記ライトカバーの中には照明チャンバが設けられ、前記照明チャンバの右側端壁の中には取り外すことができる照明ライトが設けられ、前記ウォームホイールチャンバの端壁の中には切り替えチャンバが設けられ、前記ウォームホイールチャンバと前記切り替えチャンバとの間には前記ウォームホイールと噛合したウォームが回転できるように設けられ、前記ウォームの末端が前記切り替えチャンバの中に伸びており、且つ前記ウォームの末端には第一傘歯車が固定的に設けられ、前記切り替えチャンバの底壁の中にはスライドチャンバが設けられ、前記スライドチャンバの中にはスライドブロックがスライドできるように設けられ、前記スライドブロックの頂壁の中には第一モーターが固定的に設けられ、前記第一モーターの出力軸末端には第二傘歯車が固定的に設けられ、前記第二傘歯車は前記第一傘歯車と噛み合うことができ、前記固定台の左側端壁の中には左方に開口した挟みチャンバが設けられ、前記挟みチャンバの中には読書灯を固定できる固定装置が設けられ、前記スライドチャンバの前側端壁の中にはリールチャンバが設けられ、前記リールチャンバと前記リールチャンバの右側端壁の中にはケーブルを収納できる収納装置が設けられていることを特徴とする固定に便利な読書灯。
【請求項２】
前記固定装置は前記挟みチャンバの中にスライドできるように設けられたスライド板を含み、前記固定装置は前記スライド板の下方に位置した固定板も含み、前記挟みチャンバの頂壁の中には下方に開口した第二スライド孔が左右に対称的に設けられ、前記第二スライド孔の中には前記スライド板と固定的に連結されたガイドスライドロッドがスライドできるように設けられ、前記スライド板と前記固定板との間には前記ガイドスライドロッドに周設された第二バネが弾性を持つように設けられ、前記挟みチャンバと前記ウォームホイールチャンバとの間にはネジ山スリーブが回転できるように設けられ、前記ウォームホイールチャンバの中の前記ネジ山スリーブの末端には前記第二傘歯車と噛合した第三傘歯車が固定的に設けられ、前記ネジ山スリーブの中には下方に開口した第一ネジ山孔が設けられ、前記第一ネジ山孔の中には前記スライド板と固定的に連結された第一ネジロッドがねじ山によって連結され、前記第一ネジロッドが下へ移動し前記スライド板と前記固定板とを下へ移動連動させ、これにより本願発明をデスクの縁に固定することを特徴とする請求項１に記載の固定に便利な読書灯。
【請求項３】
前記収納装置は前記スライドブロックの中に設けられた第二ネジ山孔を含み、前記第二ネジ山孔が前後に伸びており、前記第二ネジ山孔の中には第二ネジロッドがねじ山によって連結され、前記第二ネジロッドが前後に伸びており、前記ネジロッドの前側末端と前記リールチャンバの前側端壁の中に固定的に設けられた第二モーターとが伝動できるように連結され、前記リールチャンバの中の前記第二ネジロッドの外表面にはリールが固定的に設けられ、前記リールチャンバの右側端壁の中には収納チャンバが設けられ、前記収納チャンバの中にはブラグが設けられ、前記ブラグの左側端壁には前記リールの外表面に周設されたケーブルが固定的に設けられ、前記リールが回転することによって前記ケーブルを収納でき、または取り出せることを特徴とする請求項１に記載の固定に便利な読書灯。
【手続補正２】
【補正対象書類名】明細書
【補正対象項目名】全文
【補正方法】変更
【補正の内容】
【発明の詳細な説明】
【技術分野】
【０００１】
本発明はライト分野を取り上げて、具体的には固定に便利な読書灯である。
【背景技術】
【０００２】
人々は読書灯を使って本を読むとき、読書灯が固定されにくいため、良い使用体験を得ることができない場合が多い。また伝統的な読書灯は照明範囲が自動的に調節できない一方、ケーブルも乱れやすく、収納が不便である。したがって、固定に便利な読書灯を設計し以上の問題を解決する必要がある。
【先行技術文献】
【特許文献】
【０００３】
【特許文献１】中国特許出願公開第104566046号明細書
【発明の概要】
【発明が解決しようとする課題】
【０００４】
本発明の目的は固定に便利な読書灯を提供し、それは上記の現在の技術中の問題を解決できる。
【課題を解決するための手段】
【０００５】
本発明の固定に便利な読書灯は、固定台と、前記固定台の上方に位置したスライドスタンドと、前記固定台に位置したウォームホイールチャンバとを含み、前記スライドスタンドの底壁の中には下方に開口した空きチャンバが設けられ、前記空きチャンバの左右端壁には第一ラックが固定的に設けられ、前記スライドスタンドの中には支持ロッドがスライドできるように設けられ、前記支持ロッドの底部が前記固定台の頂壁の中に回転できるように設けられ、前記支持ロッドの底部末端は前記ウォームホイールチャンバの中に伸びており、且つ前記支持ロッドの底部末端にはウォームホイールが設置され、前記支持ロッドの左右端壁の中には左右に貫通したスライド溝が設けられ、前記スライド溝の中にはカウンターウェイトブロックがスライドできるように設けられ、前記スライド溝の頂壁の中には第一スライド孔が設けられ、前記第一スライド孔の中には第二ラックがスライドできるように設けられ、前記第一スライド孔と前記空きチャンバとの間には歯車チャンバが連通するように設けられ、前記歯車チャンバの中には前記第一ラックと第二ラックとの両者と噛合した第一歯車が回転できるように設けられ、前記支持ロッドの頂壁には位置制限ブロックが固定的に設けられ、前記位置制限ブロックと前記スライドスタンドとの間には第一バネが弾性を持つように設けられ、前記スライドスタンドの左側端壁にはライトカバーがヒンジによって連結され、前記ライトカバーと前記位置制限ブロックとの間にはヒンジロッドがヒンジによって連結され、前記ライトカバーの中には照明チャンバが設けられ、前記照明チャンバの右側端壁の中には取り外すことができる照明ライトが設けられ、前記ウォームホイールチャンバの端壁の中には切り替えチャンバが設けられ、前記ウォームホイールチャンバと前記切り替えチャンバとの間には前記ウォームホイールと噛合したウォームが回転できるように設けられ、前記ウォームの末端が前記切り替えチャンバの中に伸びており、且つ前記ウォームの末端には第一傘歯車が固定的に設けられ、前記切り替えチャンバの底壁の中にはスライドチャンバが設けられ、前記スライドチャンバの中にはスライドブロックがスライドできるように設けられ、前記スライドブロックの頂壁の中には第一モーターが固定的に設けられ、前記第一モーターの出力軸末端には第二傘歯車が固定的に設けられ、前記第二傘歯車は前記第一傘歯車と噛み合うことができ、前記固定台の左側端壁の中には左方に開口した挟みチャンバが設けられ、前記挟みチャンバの中には読書灯を固定できる固定装置が設けられ、前記スライドチャンバの前側端壁の中にはリールチャンバが設けられ、前記リールチャンバと前記リールチャンバの右側端壁の中にはケーブルを収納できる収納装置が設けられている。
【０００６】
優選の技術プランとして、前記固定装置は前記挟みチャンバの中にスライドできるように設けられたスライド板を含み、前記固定装置は前記スライド板の下方に位置した固定板も含み、前記挟みチャンバの頂壁の中には下方に開口した第二スライド孔が左右に対称的に設けられ、前記第二スライド孔の中には前記スライド板と固定的に連結されたガイドスライドロッドがスライドできるように設けられ、前記スライド板と前記固定板との間には前記ガイドスライドロッドに周設された第二バネが弾性を持つように設けられ、前記挟みチャンバと前記ウォームホイールチャンバとの間にはネジ山スリーブが回転できるように設けられ、前記ウォームホイールチャンバの中の前記ネジ山スリーブの末端には前記第二傘歯車と噛合した第三傘歯車が固定的に設けられ、前記ネジ山スリーブの中には下方に開口した第一ネジ山孔が設けられ、前記第一ネジ山孔の中には前記スライド板と固定的に連結された第一ネジロッドがねじ山によって連結され、前記第一ネジロッドが下へ移動し前記スライド板と前記固定板とを下へ移動連動させ、これにより本願発明をデスクの縁に固定する。
【０００７】
優選の技術プランとして、前記収納装置は前記スライドブロックの中に設けられた第二ネジ山孔を含み、前記第二ネジ山孔が前後に伸びており、前記第二ネジ山孔の中には第二ネジロッドがねじ山によって連結され、前記第二ネジロッドが前後に伸びており、前記ネジロッドの前側末端と前記リールチャンバの前側端壁の中に固定的に設けられた第二モーターとが伝動できるように連結され、前記リールチャンバの中の前記第二ネジロッドの外表面にはリールが固定的に設けられ、前記リールチャンバの右側端壁の中には収納チャンバが設けられ、前記収納チャンバの中にはブラグが設けられ、前記ブラグの左側端壁には前記リールの外表面に周設されたケーブルが固定的に設けられ、前記リールが回転することによって前記ケーブルを収納でき、または取り出せる。
【発明の効果】
【０００８】
本発明設備は自動的にデスクの縁に固定できるだけではなく、ヘッドボードにも便利に固定でき、デスクの縁にもヘッドボードにも適し、照明範囲を便利に調節できる一方、ケーブルも収納でき、使用が非常に便利である。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の固定に便利な読書灯の全体構成略図
【図２】図２は図１のＡ―Ａの構成略図
【図３】図３は図１のＢ―Ｂの構成略図
【図４】図４は図１のＣ―Ｃの構成略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜４に示したように、本発明の固定に便利な読書灯は、固定台１０と、前記固定台１０の上方に位置したスライドスタンド２７と、前記固定台１０に位置したウォームホイールチャンバ１１とを含み、前記スライドスタンド２７の底壁の中には下方に開口した空きチャンバ２６が設けられ、前記空きチャンバ２６の左右端壁には第一ラック２４が固定的に設けられ、前記スライドスタンド２７の中には支持ロッド２８がスライドできるように設けられ、前記支持ロッド２８の底部が前記固定台１０の頂壁の中に回転できるように設けられ、前記支持ロッド２８の底部末端は前記ウォームホイールチャンバ１１の中に伸びており、且つ前記支持ロッド２８の底部末端にはウォームホイール１３が設置され、前記支持ロッド２８の左右端壁の中には左右に貫通したスライド溝３５が設けられ、前記スライド溝３５の中にはカウンターウェイトブロック３６がスライドできるように設けられ、前記スライド溝３５の頂壁の中には第一スライド孔２５が設けられ、前記第一スライド孔２５の中には第二ラック２１がスライドできるように設けられ、前記第一スライド孔２５と前記空きチャンバ２６との間には歯車チャンバ２３が連通するように設けられ、前記歯車チャンバ２３の中には前記第一ラック２４と第二ラック２１との両者と噛合した第一歯車２２が回転できるように設けられ、前記支持ロッド２８の頂壁には位置制限ブロック３０が固定的に設けられ、前記位置制限ブロック３０と前記スライドスタンド２７との間には第一バネ２９が弾性を持つように設けられ、前記スライドスタンド２７の左側端壁にはライトカバー３４がヒンジによって連結され、前記ライトカバー３４と前記位置制限ブロック３０との間にはヒンジロッド３１がヒンジによって連結され、前記ライトカバー３４の中には照明チャンバ３３が設けられ、前記照明チャンバ３３の右側端壁の中には取り外すことができる照明ライト３２が設けられ、前記ウォームホイールチャンバ１１の端壁の中には切り替えチャンバ４５が設けられ、前記ウォームホイールチャンバ１１と前記切り替えチャンバ４５との間には前記ウォームホイール１３と噛合したウォーム１２が回転できるように設けられ、前記ウォーム１２の末端が前記切り替えチャンバ４５の中に伸びており、且つ前記ウォーム１２の末端には第一傘歯車４６が固定的に設けられ、前記切り替えチャンバ４５の底壁の中にはスライドチャンバ４４が設けられ、前記スライドチャンバ４４の中にはスライドブロック４２がスライドできるように設けられ、前記スライドブロック４２の頂壁の中には第一モーター４３が固定的に設けられ、前記第一モーター４３の出力軸末端には第二傘歯車３７が固定的に設けられ、第二傘歯車３７は第一傘歯車４６と噛み合うことができ、前記固定台１０の左側端壁の中には左方に開口した挟みチャンバ１６が設けられ、前記挟みチャンバ１６の中には読書灯を固定できる固定装置２００が設けられ、前記スライドチャンバ４４の前側端壁の中にはリールチャンバ５３が設けられ、前記リールチャンバ５３と前記リールチャンバ５３の右側端壁の中にはケーブルを収納できる収納装置３００が設けられている。
【００１３】
有益に、前記固定装置２００は前記挟みチャンバ１６の中にスライドできるように設けられたスライド板１９を含み、前記固定装置２００は前記スライド板１９の下方に位置した固定板１５も含み、前記挟みチャンバ１６の頂壁の中には下方に開口した第二スライド孔２０が左右に対称的に設けられ、前記第二スライド孔２０の中には前記スライド板１９と固定的に連結されたガイドスライドロッド１７がスライドできるように設けられ、前記スライド板１９と前記固定板１５との間には前記ガイドスライドロッド１７に周設された第二バネ１４が弾性を持つように設けられ、前記挟みチャンバ１６と前記ウォームホイールチャンバ１１との間にはネジ山スリーブ４１が回転できるように設けられ、前記ウォームホイールチャンバ１１の中の前記ネジ山スリーブ４１の末端には前記第二傘歯車３７と噛合した第三傘歯車３８が固定的に設けられ、前記ネジ山スリーブ４１の中には下方に開口した第一ネジ山孔４０が設けられ、前記第一ネジ山孔４０の中には前記スライド板１９と固定的に連結された第一ネジロッド３９がねじ山によって連結され、前記第一ネジロッド３９が下へ移動し前記スライド板１９と前記固定板１５とを下へ移動連動させ、これにより本願発明をデスクの縁に固定する。
【００１４】
有益に、前記収納装置３００は前記スライドブロック４２の中に設けられた第二ネジ山孔４７を含み、前記第二ネジ山孔４７が前後に伸びており、前記第二ネジ山孔４７の中には第二ネジロッド４８がねじ山によって連結され、前記第二ネジロッド４８が前後に伸びており、前記ネジロッド４８の前側末端と前記リールチャンバ５３の前側端壁の中に固定的に設けられた第二モーター５２とが伝動できるように連結され、前記リールチャンバ５３の中の前記第二ネジロッド４８の外表面にはリール５４が固定的に設けられ、前記リールチャンバ５３の右側端壁の中には収納チャンバ５１が設けられ、前記収納チャンバ５１の中にはブラグ５９が設けられ、前記ブラグ５０の左側端壁には前記リール５４の外表面に周設されたケーブル４９が固定的に設けられ、前記リール５４が回転することによって前記ケーブル４９を収納でき、または取り出せる。
【００１５】
以下、図１〜４と上記に説明した本出願の固定に便利な読書灯の具体的な構成とを参照し、固定に便利な読書灯の作動過程を詳しく説明する：
【００１６】
設備をデスクの上で使用するとき、挟みチャンバ１６をデスクの縁に引っ掛け、このとき第一モーター４３を始動し、これにより第二傘歯車３７を回転連動させ、これにより第三傘歯車３８とネジ山スリーブ４１とを回転連動させ、これにより第一ネジロッド３９を下へ移動連動させ、第一ネジロッド３９が下へ移動しスライド板１９と固定板１５とを下へ移動連動させ、これにより設備がデスクの縁に固定でき、このとき第二モーター５２を始動し、第二モーター５２が回転し第二ネジロッド４８を回転連動させ、これによりリール５４を回転連動させ、これによりケーブルを取り出せ、このとき右へブラグ５０を引き、ブラグ５０を給電線路と通電できるように連結し、このとき設備が通電され、同時に第二ネジロッド４８が回転しスライドブロック４２を移動連動させ、これにより第二傘歯車３７と第一傘歯車４６とを噛合させ、このとき第一モーター４３を起動し、第一モーター４３が回転し第二傘歯車３７を回転連動させ、これにより第一傘歯車４６と、ウォーム１２と、ウォームホイール１３と、支持板２８とを回転連動させ、これにより読書灯の照明位置を調節でき、ベッドで設備を使用するとき、挟みチャンバ１６をヘッドボードの上に引っ掛け、このとき支持ロッド２８が水平方向に位置しているため、カウンターウェイトブロック３６が水平方向で重力に影響されなく、このとき第一バネ２９の作用によりスライドスタンド２７が移動し、これによりライトカバー３４の右側を下へ移動連動させ、同時にヒンジロッド３１の作用により、ライトカバー３４が九十度回転し、このときライトカバー３４がベッドと平行し、使用者の読書に照明を提供し、繰り返しに固定装置２００と収納装置３００を作動させることによって便利に設備をヘッドボードに固定でき、同時に第一モーター４３を始動し、第一モーター４３が回転し第二傘歯車３７を回転連動させ、これにより第一傘歯車４６と、ウォーム１２と、ウォームホイール１３と、支持板２８とを回転連動させ、これにより読書灯の照明位置を調節できる。
【００１７】
以上の詳しい説明により：本発明設備は自動的にデスクの縁に固定できるだけではなく、ヘッドボードにも便利に固定でき、デスクの縁にもヘッドボードにも適し、照明範囲を便利に調節できる一方、ケーブルも収納でき、使用が非常に便利である。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和2年4月8日(2020.4.8)
【手続補正１】
【補正対象書類名】特許請求の範囲
【補正対象項目名】全文
【補正方法】変更
【補正の内容】
【特許請求の範囲】
【請求項１】
正面視で、固定台と、前記固定台の上方に位置したスライドスタンドと、前記固定台に位置したウォームホイールチャンバとを含み、前記スライドスタンドの底壁の中には下方に開口した空きチャンバが設けられ、前記空きチャンバの左右端壁には第一ラックが固定的に設けられ、前記スライドスタンドの中には支持ロッドがスライドできるように設けられ、前記支持ロッドの底部が前記固定台の頂壁の中に回転できるように設けられ、前記支持ロッドの底部末端は前記ウォームホイールチャンバの中に伸びており、且つ前記支持ロッドの底部末端にはウォームホイールが設置され、前記支持ロッドの左右端壁の中には左右に貫通したスライド溝が設けられ、前記スライド溝の中にはカウンターウェイトブロックがスライドできるように設けられ、前記スライド溝の頂壁の中には第一スライド孔が設けられ、前記第一スライド孔の中には第二ラックがスライドできるように設けられ、前記第一スライド孔と前記空きチャンバとの間には歯車チャンバが連通するように設けられ、前記歯車チャンバの中には前記第一ラックと第二ラックとの両者と噛合した第一歯車が回転できるように設けられ、前記支持ロッドの頂壁には位置制限ブロックが固定的に設けられ、前記位置制限ブロックと前記スライドスタンドとの間には第一バネが弾性を持つように設けられ、前記スライドスタンドの左側端壁にはライトカバーがヒンジによって連結され、前記ライトカバーと前記位置制限ブロックとの間にはヒンジロッドがヒンジによって連結され、前記ライトカバーの中には照明チャンバが設けられ、前記照明チャンバの右側端壁の中には取り外すことができる照明ライトが設けられ、前記ウォームホイールチャンバの端壁の中には切り替えチャンバが設けられ、前記ウォームホイールチャンバと前記切り替えチャンバとの間には前記ウォームホイールと噛合したウォームが回転できるように設けられ、前記ウォームの末端が前記切り替えチャンバの中に伸びており、且つ前記ウォームの末端には第一傘歯車が固定的に設けられ、前記切り替えチャンバの底壁の中にはスライドチャンバが設けられ、前記スライドチャンバの中にはスライドブロックがスライドできるように設けられ、前記スライドブロックの頂壁の中には第一モーターが固定的に設けられ、前記第一モーターの出力軸末端には第二傘歯車が固定的に設けられ、前記第二傘歯車は前記第一傘歯車と噛み合うことができ、前記固定台の左側端壁の中には左方に開口した挟みチャンバが設けられ、前記挟みチャンバの中には読書灯を固定できる固定装置が設けられ、前記スライドチャンバの前側端壁の中にはリールチャンバが設けられ、前記リールチャンバと前記リールチャンバの右側端壁の中にはケーブルを収納できる収納装置が設けられていることを特徴とする固定に便利な読書灯。
【請求項２】
前記固定装置は前記挟みチャンバの中にスライドできるように設けられたスライド板を含み、前記固定装置は前記スライド板の下方に位置した固定板も含み、前記挟みチャンバの頂壁の中には下方に開口した第二スライド孔が左右に対称的に設けられ、前記第二スライド孔の中には前記スライド板と固定的に連結されたガイドスライドロッドがスライドできるように設けられ、前記スライド板と前記固定板との間には前記ガイドスライドロッドに周設された第二バネが弾性を持つように設けられ、前記挟みチャンバと前記ウォームホイールチャンバとの間にはネジ山スリーブが回転できるように設けられ、前記ウォームホイールチャンバの中の前記ネジ山スリーブの末端には前記第二傘歯車と噛合した第三傘歯車が固定的に設けられ、前記ネジ山スリーブの中には下方に開口した第一ネジ山孔が設けられ、前記第一ネジ山孔の中には前記スライド板と固定的に連結された第一ネジロッドがねじ山によって連結され、前記第一ネジロッドが下へ移動し前記スライド板と前記固定板とを下へ移動連動させ、これにより前記固定台をデスクの縁に固定することを特徴とする請求項１に記載の固定に便利な読書灯。
【請求項３】
前記収納装置は前記スライドブロックの中に設けられた第二ネジ山孔を含み、前記第二ネジ山孔が前後に伸びており、前記第二ネジ山孔の中には第二ネジロッドがねじ山によって連結され、前記第二ネジロッドが前後に伸びており、前記ネジロッドの前側末端と前記リールチャンバの前側端壁の中に固定的に設けられた第二モーターとが伝動できるように連結され、前記リールチャンバの中の前記第二ネジロッドの外表面にはリールが固定的に設けられ、前記リールチャンバの右側端壁の中には収納チャンバが設けられ、前記収納チャンバの中にはブラグが設けられ、前記ブラグの左側端壁には前記リールの外表面に周設されたケーブルが固定的に設けられ、前記リールが回転することによって前記ケーブルを収納でき、または取り出せることを特徴とする請求項１に記載の固定に便利な読書灯。
【手続補正２】
【補正対象書類名】明細書
【補正対象項目名】全文
【補正方法】変更
【補正の内容】
【発明の詳細な説明】
【技術分野】
【０００１】
本発明はライト分野を取り上げて、具体的には固定に便利な読書灯である。
【背景技術】
【０００２】
人々は読書灯を使って本を読むとき、読書灯が固定されにくいため、良い使用体験を得ることができない場合が多い。また伝統的な読書灯は照明範囲が自動的に調節できない一方、ケーブルも乱れやすく、収納が不便である。したがって、固定に便利な読書灯を設計し以上の問題を解決する必要がある。
【先行技術文献】
【特許文献】
【０００３】
【特許文献１】中国特許出願公開第１０４５６６０４６号明細書
【発明の概要】
【発明が解決しようとする課題】
【０００４】
本発明の目的は固定に便利な読書灯を提供し、それは上記の現在の技術中の問題を解決できる。
【課題を解決するための手段】
【０００５】
本発明の固定に便利な読書灯は、固定台と、前記固定台の上方に位置したスライドスタンドと、前記固定台に位置したウォームホイールチャンバとを含み、前記スライドスタンドの底壁の中には下方に開口した空きチャンバが設けられ、前記空きチャンバの左右端壁には第一ラックが固定的に設けられ、前記スライドスタンドの中には支持ロッドがスライドできるように設けられ、前記支持ロッドの底部が前記固定台の頂壁の中に回転できるように設けられ、前記支持ロッドの底部末端は前記ウォームホイールチャンバの中に伸びており、且つ前記支持ロッドの底部末端にはウォームホイールが設置され、前記支持ロッドの左右端壁の中には左右に貫通したスライド溝が設けられ、前記スライド溝の中にはカウンターウェイトブロックがスライドできるように設けられ、前記スライド溝の頂壁の中には第一スライド孔が設けられ、前記第一スライド孔の中には第二ラックがスライドできるように設けられ、前記第一スライド孔と前記空きチャンバとの間には歯車チャンバが連通するように設けられ、前記歯車チャンバの中には前記第一ラックと第二ラックとの両者と噛合した第一歯車が回転できるように設けられ、前記支持ロッドの頂壁には位置制限ブロックが固定的に設けられ、前記位置制限ブロックと前記スライドスタンドとの間には第一バネが弾性を持つように設けられ、前記スライドスタンドの左側端壁にはライトカバーがヒンジによって連結され、前記ライトカバーと前記位置制限ブロックとの間にはヒンジロッドがヒンジによって連結され、前記ライトカバーの中には照明チャンバが設けられ、前記照明チャンバの右側端壁の中には取り外すことができる照明ライトが設けられ、前記ウォームホイールチャンバの端壁の中には切り替えチャンバが設けられ、前記ウォームホイールチャンバと前記切り替えチャンバとの間には前記ウォームホイールと噛合したウォームが回転できるように設けられ、前記ウォームの末端が前記切り替えチャンバの中に伸びており、且つ前記ウォームの末端には第一傘歯車が固定的に設けられ、前記切り替えチャンバの底壁の中にはスライドチャンバが設けられ、前記スライドチャンバの中にはスライドブロックがスライドできるように設けられ、前記スライドブロックの頂壁の中には第一モーターが固定的に設けられ、前記第一モーターの出力軸末端には第二傘歯車が固定的に設けられ、前記第二傘歯車は前記第一傘歯車と噛み合うことができ、前記固定台の左側端壁の中には左方に開口した挟みチャンバが設けられ、前記挟みチャンバの中には読書灯を固定できる固定装置が設けられ、前記スライドチャンバの前側端壁の中にはリールチャンバが設けられ、前記リールチャンバと前記リールチャンバの右側端壁の中にはケーブルを収納できる収納装置が設けられている。
【０００６】
優選の技術プランとして、前記固定装置は前記挟みチャンバの中にスライドできるように設けられたスライド板を含み、前記固定装置は前記スライド板の下方に位置した固定板も含み、前記挟みチャンバの頂壁の中には下方に開口した第二スライド孔が左右に対称的に設けられ、前記第二スライド孔の中には前記スライド板と固定的に連結されたガイドスライドロッドがスライドできるように設けられ、前記スライド板と前記固定板との間には前記ガイドスライドロッドに周設された第二バネが弾性を持つように設けられ、前記挟みチャンバと前記ウォームホイールチャンバとの間にはネジ山スリーブが回転できるように設けられ、前記ウォームホイールチャンバの中の前記ネジ山スリーブの末端には前記第二傘歯車と噛合した第三傘歯車が固定的に設けられ、前記ネジ山スリーブの中には下方に開口した第一ネジ山孔が設けられ、前記第一ネジ山孔の中には前記スライド板と固定的に連結された第一ネジロッドがねじ山によって連結され、前記第一ネジロッドが下へ移動し前記スライド板と前記固定板とを下へ移動連動させ、これにより前記固定台をデスクの縁に固定する。
【０００７】
優選の技術プランとして、前記収納装置は前記スライドブロックの中に設けられた第二ネジ山孔を含み、前記第二ネジ山孔が前後に伸びており、前記第二ネジ山孔の中には第二ネジロッドがねじ山によって連結され、前記第二ネジロッドが前後に伸びており、前記ネジロッドの前側末端と前記リールチャンバの前側端壁の中に固定的に設けられた第二モーターとが伝動できるように連結され、前記リールチャンバの中の前記第二ネジロッドの外表面にはリールが固定的に設けられ、前記リールチャンバの右側端壁の中には収納チャンバが設けられ、前記収納チャンバの中にはブラグが設けられ、前記ブラグの左側端壁には前記リールの外表面に周設されたケーブルが固定的に設けられ、前記リールが回転することによって前記ケーブルを収納でき、または取り出せる。
【発明の効果】
【０００８】
本発明設備は自動的にデスクの縁に固定できるだけではなく、ヘッドボードにも便利に固定でき、デスクの縁にもヘッドボードにも適し、照明範囲を便利に調節できる一方、ケーブルも収納でき、使用が非常に便利である。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の固定に便利な読書灯の全体構成略図
【図２】図２は図１のＡ―Ａの構成略図
【図３】図３は図１のＢ―Ｂの構成略図
【図４】図４は図１のＣ―Ｃの構成略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜４に示したように、本発明の固定に便利な読書灯は、固定台１０と、前記固定台１０の上方に位置したスライドスタンド２７と、前記固定台１０に位置したウォームホイールチャンバ１１とを含み、前記スライドスタンド２７の底壁の中には下方に開口した空きチャンバ２６が設けられ、前記空きチャンバ２６の左右端壁には第一ラック２４が固定的に設けられ、前記スライドスタンド２７の中には支持ロッド２８がスライドできるように設けられ、前記支持ロッド２８の底部が前記固定台１０の頂壁の中に回転できるように設けられ、前記支持ロッド２８の底部末端は前記ウォームホイールチャンバ１１の中に伸びており、且つ前記支持ロッド２８の底部末端にはウォームホイール１３が設置され、前記支持ロッド２８の左右端壁の中には左右に貫通したスライド溝３５が設けられ、前記スライド溝３５の中にはカウンターウェイトブロック３６がスライドできるように設けられ、前記スライド溝３５の頂壁の中には第一スライド孔２５が設けられ、前記第一スライド孔２５の中には第二ラック２１がスライドできるように設けられ、前記第一スライド孔２５と前記空きチャンバ２６との間には歯車チャンバ２３が連通するように設けられ、前記歯車チャンバ２３の中には前記第一ラック２４と第二ラック２１との両者と噛合した第一歯車２２が回転できるように設けられ、前記支持ロッド２８の頂壁には位置制限ブロック３０が固定的に設けられ、前記位置制限ブロック３０と前記スライドスタンド２７との間には第一バネ２９が弾性を持つように設けられ、前記スライドスタンド２７の左側端壁にはライトカバー３４がヒンジによって連結され、前記ライトカバー３４と前記位置制限ブロック３０との間にはヒンジロッド３１がヒンジによって連結され、前記ライトカバー３４の中には照明チャンバ３３が設けられ、前記照明チャンバ３３の右側端壁の中には取り外すことができる照明ライト３２が設けられ、前記ウォームホイールチャンバ１１の端壁の中には切り替えチャンバ４５が設けられ、前記ウォームホイールチャンバ１１と前記切り替えチャンバ４５との間には前記ウォームホイール１３と噛合したウォーム１２が回転できるように設けられ、前記ウォーム１２の末端が前記切り替えチャンバ４５の中に伸びており、且つ前記ウォーム１２の末端には第一傘歯車４６が固定的に設けられ、前記切り替えチャンバ４５の底壁の中にはスライドチャンバ４４が設けられ、前記スライドチャンバ４４の中にはスライドブロック４２がスライドできるように設けられ、前記スライドブロック４２の頂壁の中には第一モーター４３が固定的に設けられ、前記第一モーター４３の出力軸末端には第二傘歯車３７が固定的に設けられ、第二傘歯車３７は第一傘歯車４６と噛み合うことができ、前記固定台１０の左側端壁の中には左方に開口した挟みチャンバ１６が設けられ、前記挟みチャンバ１６の中には読書灯を固定できる固定装置２００が設けられ、前記スライドチャンバ４４の前側端壁の中にはリールチャンバ５３が設けられ、前記リールチャンバ５３と前記リールチャンバ５３の右側端壁の中にはケーブルを収納できる収納装置３００が設けられている。
【００１３】
有益に、前記固定装置２００は前記挟みチャンバ１６の中にスライドできるように設けられたスライド板１９を含み、前記固定装置２００は前記スライド板１９の下方に位置した固定板１５も含み、前記挟みチャンバ１６の頂壁の中には下方に開口した第二スライド孔２０が左右に対称的に設けられ、前記第二スライド孔２０の中には前記スライド板１９と固定的に連結されたガイドスライドロッド１７がスライドできるように設けられ、前記スライド板１９と前記固定板１５との間には前記ガイドスライドロッド１７に周設された第二バネ１４が弾性を持つように設けられ、前記挟みチャンバ１６と前記ウォームホイールチャンバ１１との間にはネジ山スリーブ４１が回転できるように設けられ、前記ウォームホイールチャンバ１１の中の前記ネジ山スリーブ４１の末端には前記第二傘歯車３７と噛合した第三傘歯車３８が固定的に設けられ、前記ネジ山スリーブ４１の中には下方に開口した第一ネジ山孔４０が設けられ、前記第一ネジ山孔４０の中には前記スライド板１９と固定的に連結された第一ネジロッド３９がねじ山によって連結され、前記第一ネジロッド３９が下へ移動し前記スライド板１９と前記固定板１５とを下へ移動連動させ、これにより前記固定台１０をデスクの縁に固定する。
【００１４】
有益に、前記収納装置３００は前記スライドブロック４２の中に設けられた第二ネジ山孔４７を含み、前記第二ネジ山孔４７が前後に伸びており、前記第二ネジ山孔４７の中には第二ネジロッド４８がねじ山によって連結され、前記第二ネジロッド４８が前後に伸びており、前記ネジロッド４８の前側末端と前記リールチャンバ５３の前側端壁の中に固定的に設けられた第二モーター５２とが伝動できるように連結され、前記リールチャンバ５３の中の前記第二ネジロッド４８の外表面にはリール５４が固定的に設けられ、前記リールチャンバ５３の右側端壁の中には収納チャンバ５１が設けられ、前記収納チャンバ５１の中にはブラグ５９が設けられ、前記ブラグ５０の左側端壁には前記リール５４の外表面に周設されたケーブル４９が固定的に設けられ、前記リール５４が回転することによって前記ケーブル４９を収納でき、または取り出せる。
【００１５】
以下、図１〜４と上記に説明した本出願の固定に便利な読書灯の具体的な構成とを参照し、固定に便利な読書灯の作動過程を詳しく説明する：
【００１６】
設備をデスクの上で使用するとき、挟みチャンバ１６をデスクの縁に引っ掛け、このとき第一モーター４３を始動し、これにより第二傘歯車３７を回転連動させ、これにより第三傘歯車３８とネジ山スリーブ４１とを回転連動させ、これにより第一ネジロッド３９を下へ移動連動させ、第一ネジロッド３９が下へ移動しスライド板１９と固定板１５とを下へ移動連動させ、これにより設備がデスクの縁に固定でき、このとき第二モーター５２を始動し、第二モーター５２が回転し第二ネジロッド４８を回転連動させ、これによりリール５４を回転連動させ、これによりケーブルを取り出せ、このとき右へブラグ５０を引き、ブラグ５０を給電線路と通電できるように連結し、このとき設備が通電され、同時に第二ネジロッド４８が回転しスライドブロック４２を移動連動させ、これにより第二傘歯車３７と第一傘歯車４６とを噛合させ、このとき第一モーター４３を起動し、第一モーター４３が回転し第二傘歯車３７を回転連動させ、これにより第一傘歯車４６と、ウォーム１２と、ウォームホイール１３と、支持板２８とを回転連動させ、これにより読書灯の照明位置を調節でき、ベッドで設備を使用するとき、挟みチャンバ１６をヘッドボードの上に引っ掛け、このとき支持ロッド２８が水平方向に位置しているため、カウンターウェイトブロック３６が水平方向で重力に影響されなく、このとき第一バネ２９の作用によりスライドスタンド２７が移動し、これによりライトカバー３４の右側を下へ移動連動させ、同時にヒンジロッド３１の作用により、ライトカバー３４が九十度回転し、このときライトカバー３４がベッドと平行し、使用者の読書に照明を提供し、繰り返しに固定装置２００と収納装置３００を作動させることによって便利に設備をヘッドボードに固定でき、同時に第一モーター４３を始動し、第一モーター４３が回転し第二傘歯車３７を回転連動させ、これにより第一傘歯車４６と、ウォーム１２と、ウォームホイール１３と、支持板２８とを回転連動させ、これにより読書灯の照明位置を調節できる。
【００１７】
以上の詳しい説明により：本発明設備は自動的にデスクの縁に固定できるだけではなく、ヘッドボードにも便利に固定でき、デスクの縁にもヘッドボードにも適し、照明範囲を便利に調節できる一方、ケーブルも収納でき、使用が非常に便利である。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。